(57)【要約】【課題】貼付されているシールが切断されたことの痕跡を残すことが可能な基板ケースおよび遊技機を提供する。【解決手段】メイン基板ケース５４０の本体部３１は、蓋部３２と共に遊技制御基板５２０を収容する。段差部３３は、本体部３１の側面３１ａの位置と蓋部３２の側面３２ａの位置とが互いに異なることにより形成されている。本体部３１と蓋部３２とが互いに係合する係合部分Ｃの位置は、段差部３３にある。シール４０は、中間部４３にＩＣタグを備えている。シール４０の端部４１が本体部３１に貼付され、端部４２が蓋部３２に貼付されている一方で、中間部４３は本体部３１および蓋部３２のいずれにも貼付されていない。シール４０が中間部４３で不正に切断されると、ＩＣタグが分割されて通信が不可能になると共に、シール４０が側面３１ａ，３２ａに貼り付く。【選択図】図４
2010158344.tif 000002
【特許請求の範囲】
【請求項１】
第１の構成部材および第２の構成部材を含んで構成され、当該第１の構成部材と当該第２の構成部材とが互いに係合して遊技機の基板を収容するための収容空間を形成する基板ケースであって、
前記第１の構成部材と前記第２の構成部材とにわたって貼付されるシール部材と、
前記シール部材に設けられ、電波ないし電磁波を媒体とする通信を行うためのＩＣタグと、
前記第１の構成部材および／または前記第２の構成部材に設けられ、前記シール部材が前記ＩＣタグと共に切断し易い場所を形成する易切断場所形成手段と、
を備えることを特徴とする基板ケース。
【請求項２】
前記易切断場所形成手段は、前記第１の構成部材に貼付される前記シール部材の第１の貼付部分と前記第２の構成部材に貼付される当該シール部材の第２の貼付部分との間に位置する当該シール部材の中間部分を、前記基板ケースに貼付されない未貼付部分とするための未貼付形成部であることを特徴とする請求項１に記載の基板ケース。
【請求項３】
前記第１の構成部材と前記第２の構成部材とが互いに係合する係合位置が前記未貼付形成部にあることを特徴とする請求項２に記載の基板ケース。
【請求項４】
前記未貼付形成部は、前記第１の貼付部分が貼付される前記第１の構成部材の外面と前記第２の貼付部分が貼付される前記第２の構成部材の外面とが互いに異なって位置することにより構成され、
前記未貼付形成部は、前記基板ケースに貼付される前記シール部材の前記中間部分が切断されると当該中間部分の位置が変わるように構成されていることを特徴とする請求項３に記載の基板ケース。
【請求項５】
前記未貼付形成部は、前記第１の構成部材の外面から外方に突出する第１の突出部および／または前記第２の構成部材の外面から外方に突出する第２の突出部により構成され、
前記未貼付形成部は、前記基板ケースに貼付される前記シール部材の前記中間部分が切断されると当該中間部分の位置が変わるように構成されていることを特徴とする請求項３に記載の基板ケース。
【請求項６】
前記第１の突出部または前記第２の突出部は、前記係合位置と離間していることを特徴とする請求項５に記載の基板ケース。
【請求項７】
制御基板を備える遊技機であって、
第１の構成部材と第２の構成部材とが互いに係合して前記制御基板を収容するための収容空間を形成する基板ケースと、
前記第１の構成部材と前記第２の構成部材とにわたって貼付されるシール部材と、
前記シール部材に設けられ、電波ないし電磁波を媒体とする通信を行うためのＩＣタグと、
を含み、
前記基板ケースは、前記第１の構成部材および／または前記第２の構成部材に設けられ、前記シール部材が前記ＩＣタグと共に切断し易い場所を形成する易切断場所形成手段を備えることを特徴とする遊技機。
【発明の詳細な説明】
【技術分野】
【０００１】
本発明は、例えばパチンコ遊技機等の遊技機が備える基板に対する不正行為を防止するのに用いられる基板ケースおよび遊技機に関するものである。
【背景技術】
【０００２】
パチンコ遊技機等の遊技機では、遊技球が始動口等の役物に入賞することにより大当たりの抽選が行われる。そして、大当たりに当選した場合には、遊技機は、大入賞口が開放されて、多くの賞球を獲得し得る大当たり遊技状態となる。したがって、遊技機が設置されたホールでは、遊技者は、遊技機を大当たり遊技状態にすべく、遊技球を打つことで入賞による大当たりの抽選が行われるように遊技を行う。
【０００３】
このような遊技機は、遊技の制御や演出の制御等を行うための各種の基板を備えている。そして、このような遊技機は、例えばホールにおける基板への不正行為を防止するための構成を備える必要がある。その対策として、従来から種々の構造が提案されている（例えば、特許文献１参照）。
この特許文献１には、分離可能な複数のケース体とこれら複数のケース体により形成される内部空間内に収容される制御基板とを有する制御基板装置を備え、ケース体間の境界を跨ぐようにしてシールを貼り付けた遊技機が開示されている。さらに説明すると、このシールは、背面側に粘着剤層が設けられ、シールを剥がす力に伴う応力によって一部が破壊される程度の脆性を有する矩形状のベース部材と、ベース部材の背面側に設けられ、識別情報が格納されたＩＣチップと、同じくベース部材の背面側に設けられ、シールを剥がす力に伴う応力によって一部が破壊される程度の脆性を有し、ＩＣチップに格納された識別情報を読取体に対して送信可能とする長尺状のアンテナと、を備えている。
【０００４】
【特許文献１】特開２００６−３０５３１９号公報
【発明の開示】
【発明が解決しようとする課題】
【０００５】
ここで、遊技機に搭載される各種の基板に不正行為を行う場合には、基板を収容する基板ケースを開封するために、基板ケースに貼付されたシールに加工を施すことになる。そのような加工としては、シールを剥がす剥離加工の他に、シールを切断する切断加工も考えられる。このような切断加工が施されたときには、シールを一見するだけでは明確に把握することが困難な場合が想定される。したがって、シールに切断加工が施されたことの何らかの痕跡を残して、その事実を確認できるようにしておく必要がある。
【０００６】
本発明は、貼付されているシールが切断されたことの痕跡を残すことが可能な基板ケースおよび遊技機を提供することを目的とする。
【課題を解決するための手段】
【０００７】
かかる目的のもと、本発明が適用される基板ケースは、第１の構成部材３１および第２の構成部材３２を含んで構成され、当該第１の構成部材３１と当該第２の構成部材３２とが互いに係合して遊技機１００の基板５２０を収容するための収容空間Ａを形成する基板ケース５４０であって、前記第１の構成部材３１と前記第２の構成部材３２とにわたって貼付されるシール部材４０と、前記シール部材４０に設けられ、電波ないし電磁波を媒体とする通信を行うためのＩＣタグ５０と、前記第１の構成部材３１および／または前記第２の構成部材３２に設けられ、前記シール部材４０が前記ＩＣタグ５０と共に切断し易い場所を形成する易切断場所形成手段３３，３６と、を備えることを特徴とするものである。
【０００８】
ここで、前記易切断場所形成手段３３，３６は、前記第１の構成部材３１に貼付される前記シール部材４０の第１の貼付部分４１と前記第２の構成部材３２に貼付される当該シール部材４０の第２の貼付部分４２との間に位置する当該シール部材４０の中間部分４３を、前記基板ケース５４０に貼付されない未貼付部分とするための未貼付形成部であることを特徴とすることができる。また、前記第１の構成部材３１と前記第２の構成部材３２とが互いに係合する係合位置Ｃが前記未貼付形成部３３，３６にあることを特徴とすることができる。
また、前記未貼付形成部３３，３６は、前記第１の貼付部分４１が貼付される前記第１の構成部材３１の外面３１ａと前記第２の貼付部分４２が貼付される前記第２の構成部材３２の外面３２ａとが互いに異なって位置することにより構成され、前記未貼付形成部３３，３６は、前記基板ケース５４０に貼付される前記シール部材４０の前記中間部分４３が切断されると当該中間部分４３の位置が変わるように構成されていることを特徴とすることができる。
また、前記未貼付形成部３３，３６は、前記第１の構成部材３１の外面３１ａから外方に突出する第１の突出部３４および／または前記第２の構成部材３２の外面３２ａから外方に突出する第２の突出部３５により構成され、前記未貼付形成部３３，３６は、前記基板ケース５４０に貼付される前記シール部材４０の前記中間部分４３が切断されると当該中間部分４３の位置が変わるように構成されていることを特徴とすることができる。この場合に、前記第１の突出部３４または前記第２の突出部３５は、前記係合位置Ｃと離間していることを特徴とすることができる。
【０００９】
他の観点から捉えると、本発明が適用される遊技機は、制御基板５２０を備える遊技機１００であって、第１の構成部材３１と第２の構成部材３２とが互いに係合して前記制御基板５２０を収容するための収容空間Ａを形成する基板ケース５４０と、前記第１の構成部材３１と前記第２の構成部材３２とにわたって貼付されるシール部材４０と、前記シール部材４０に設けられ、電波ないし電磁波を媒体とする通信を行うためのＩＣタグ５０と、を含み、前記基板ケース５４０は、前記第１の構成部材３１および／または前記第２の構成部材３２に設けられ、前記シール部材４０が前記ＩＣタグ５０と共に切断し易い場所を形成する易切断場所形成手段３３，３６を備えることを特徴とするものである。
【００１０】
なお、本欄における上記符号は、本発明の説明に際して例示的に付したものであり、この符号により本発明が減縮されるものではない。
【発明の効果】
【００１１】
本発明によれば、遊技機の基板ケースに貼付されているシールが切断されたことの痕跡を残すことが可能になる。
【発明を実施するための最良の形態】
【００１２】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１３】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に装飾図柄により報知したり、キャラクタの登場やアイテムの出現による予告演出を表示したりする。なお、画像表示部１１４としては、例えば液晶表示装置、ＥＬ表示装置、ＬＥＤドット表示装置または７セグ表示装置等による構成例が考えられる。
また、本実施の形態では、遊技盤１１０の前面に、各種の演出に用いられる可動役物１１５および盤ランプ１１６を備えている。可動役物１１５は、遊技盤１１０に対して可動に構成され、可動による各種の演出を行い、また、盤ランプ１１６は、発光することで光による各種の演出を行う。
【００１４】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１５】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別電動役物（大入賞口１２５）、または予め定められた１の特別図柄表示器の何れかを作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球は第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１６】
なお、パチンコ遊技機１００は、所定の条件下で、特別図柄抽選時に大当たりが抽選される大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする（電チューサポート）場合がある。
【００１７】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。この大入賞口１２５は、通常は閉状態であるが特別図柄抽選の結果により所定条件（例えば３０秒経過または遊技球１０個の入賞）を満たすまで突出傾斜して開状態が維持されるラウンドを所定回数（例えば１５回または２回）だけ繰り返す。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。この表示器１３０の詳細は後述する。
【００１８】
賞球の払い出しについて説明する。第１始動口１２１、第２始動口１２２、大入賞口１２５および普通入賞口１２６に遊技球が入賞すると、遊技球が入賞した場所に応じて、１つの遊技球当たり規定個数の賞球が払い出される。その一例を示すと、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球がそれぞれ払い出される。なお、ゲート１２４を遊技球が通過したことを検出しても、それに連動した賞球の払い出しは無い。
【００１９】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００２０】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２１】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。なお、本実施の形態では、第１特別図柄表示器２２１および第２特別図柄表示器２２２は、７セグ表示装置で構成され、また、普通図柄表示器２２３は、ＬＥＤ表示装置で構成されている。
【００２２】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。この保留について説明する。変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。なお、本実施の形態では、第１特別図柄保留表示器２１８、第２特別図柄保留表示器２１９および普通図柄保留表示器２２０の各々は、一列に配設したＬＥＤ表示装置で構成され、その点灯態様によって保留数が表示される。
【００２３】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２４】
〔枠部材の構成〕
次に、パチンコ遊技機１００の枠部材１５０の構成について説明する。
図３は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０と、を備えている。
【００２５】
外枠１０は、４つの金属製の枠部材である右縦枠部材１１、左縦枠部材１２、上横枠部材１３および下横枠部材１４と、外枠１０の四隅に位置し、隣り合う枠部材を相互に連結する角部材１５とを有する。
外枠１０の前面下部には、下横枠部材１４と同じ方向（横方向、左右方向）に延びる幕板１６が取り付けられている。なお、幕板１６の上端の縦方向の位置は、下横枠部材１４の上端の縦方向の位置と略同一である。また、幕板１６の前面（遊技者側の面）には、例えば社名やロゴ等を付すことで意匠的な装飾を施すことが可能である。
また、外枠１０は、前面枠２０が開閉する際に前面枠２０と摺動する樹脂製の摺動部１７を有する。より具体的には、この摺動部１７は、下横枠部材１４に取り付けられている。また、摺動部１７は、下横枠部材１４の上面に位置し、かつ、前面枠２０の回転軸が位置する側とは反対側（同図での右側）に片寄って位置している。そして、摺動部１７は、前面枠２０の遊技盤保持枠２２が閉じている状態で遊技盤保持枠２２の下面と当接して前面枠２０を保持する。このため、前面枠２０が閉じている状態には、前面枠２０と幕板１６との間に、隙間が形成されることになる。
【００２６】
前面枠２０は、上下方向に回転軸が延びるように一側部（図１での左側部）が外枠１０に取り付けられている。付言すると、前面枠２０は、透明板を所定位置に保持する透明板保持枠２１と、遊技盤１１０を所定位置に保持する遊技盤保持枠２２とを備えている。そして、図３に示すように、閉めた状態の透明板保持枠２１および遊技盤保持枠２２を一体で外枠１０に対して回転させて開けることが可能である。また、図示を省略するが、透明板保持枠２１および遊技盤保持枠２２を閉めた状態において、透明板保持枠２１を単独で外枠１０および遊技盤保持枠２２に対して回転させて開けることが可能である。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００２７】
なお、遊技盤１１０の後面には、各種の基板等が取り付けられ、また、これら各種の基板等は、内部が視認可能な透明のカバー５１０によって覆われている。この各種の基板等について付言すると、遊技盤１１０の後面には、メイン基板およびサブ基板が配設されている。すなわち、遊技盤１１０の後面には、メイン基板として、内部抽選および当選の判定等を行う遊技制御部が構成された遊技制御基板５２０が配設されている。この遊技制御基板５２０はメイン基板ケース５４０に密封されている。
【００２８】
また、サブ基板として、演出を統括的に制御する演出制御部が構成された演出制御基板５３０、画像および音による演出を制御する画像/音響制御部が構成された画像制御基板（不図示）、および、各種のランプおよび可動役物１１５による演出を制御するランプ制御部が構成されたランプ制御基板（不図示）等が配設されている。
また、遊技盤１１０の後面には、供給された２４ＶのＡＣ電源をＤＣ電源に変換して各種の基板等に出力するスイッチング電源５５０が配設されている。
付言すると、払出球の払い出し制御を行う払出制御部が構成された払出制御基板（不図示）と、払出制御基板により制御され、外部から補給された補給球を一時的に溜めておき、賞球の払い出しや貸し球の払い出しを行う払い出しユニット５６０と、が枠部材１５０の前面枠２０に配設されている。
【００２９】
〔第１の実施の形態〕
図４は、第１の実施の形態に係るメイン基板ケース５４０を説明する断面図である。
同図に示すメイン基板ケース５４０は、上側がカバー５１０（図３参照）内に部分的に配置されているものである。このメイン基板ケース５４０は、基板ないし制御基板の一例としての遊技制御基板５２０を収容するための収容空間Ａを形成する側面を有し、遊技制御基板５２０にアクセス可能な開口部を有する第１の構成部材の一例としての本体部３１を備えている。また、メイン基板ケース５４０は、本体部３１の開口部を覆う第２の構成部材の一例としての蓋部３２を備えている。本体部３１および蓋部３２は、メイン基板ケース５４０の内部を視認できる透明部材である。なお、蓋部３２は、本体部３１と共に収容空間Ａを形成する。
この蓋部３２は、本体部３１と別体であり、本体部３１と係合する。そして、蓋部３２は、爪形状による嵌合構造やねじ締結構造により、本体部３１と容易に分離できないように構成されている。すなわち、メイン基板ケース５４０は、蓋部３２を開けて遊技制御基板５２０にアクセスすることが困難なように構成されている。このように、メイン基板ケース５４０は、遊技制御基板５２０を密封する構造を有するものである。また、メイン基板ケース５４０は、破壊等による開封履歴を残す構造（不図示）を有する。なお、遊技制御基板５２０の表面（同図の右側の面）には各種の電子部品等が搭載されている。
【００３０】
また、メイン基板ケース５４０は、本体部３１の側面（外面）３１ａの位置と蓋部３２の側面（外面）３２ａの位置とが互いに異なることにより形成されている段差部３３を有する。さらに説明すると、本体部３１と蓋部３２とが互いに係合する係合部分Ｃの位置は、段差部３３にある。なお、段差部３３を本体部３１および蓋部３２の側面３１ａ，３２ａに部分的に形成する構成が考えられ、また、側面３１ａ，３２ａの全周にわたって形成する構成も考えられる。
本実施の形態では、本体部３１の側面３１ａの位置が蓋部３２の側面３２ａの位置よりも外方であるようにすることで段差部３３を形成しているが、その逆の構成も考えられる。すなわち、本体部３１の側面３１ａの位置が蓋部３２の側面３２ａの位置よりも内方であるようにすることで段差部３３を形成することも考えられる。
【００３１】
メイン基板ケース５４０は、段差部３３の付近に、本体部３１および蓋部３２に貼付されているシール部材の一例としてのシール４０を有する。このシール４０の両端部のうち一方の端部４１が本体部３１に貼付され、他方の端部４２が蓋部３２に貼付されている。すなわち、シール４０は、１枚で構成され、また、本体部３１と蓋部３２とにわたって貼付されている。
さらに説明すると、シール４０の中間部４３は、本体部３１および蓋部３２のいずれにも貼付されていない。中間部４３は、メイン基板ケース５４０に貼付されていない未貼付部分である。そして、シール４０は、所定の張力をもって端部４１，４２がメイン基板ケース５４０に貼付されている。このため、シール４０は、段差部３３に貼付されずに、段差部３３を横切るように延在している。なお、本実施の形態では、シール４０は、メイン基板ケース５４０の上面側に貼付されているが、上面側以外の例えば下面側に貼付されていても良い。
ここで、シール４０において、端部４１は第１の貼付部分の一例であり、端部４２は第２の貼付部分の一例であり、中間部４３は中間部分の一例である。また、メイン基板ケース５４０は基板ケースの一例であり、メイン基板ケース５４０の段差部３３は、未貼付形成部の一例である。
【００３２】
付言すると、シール４０は、メイン基板ケース５４０から剥離すると再度の使用を行うことが不可能な接着剤でメイン基板ケース５４０に貼付されている。なお、シール４０は、例えばポリエステル、アクリル、塩化ビニル等のプラスチックを用いることが考えられ、また、外力が加えられると破損する脆性を有する材質を用いることが考えられる。接着剤としては、耐熱性を有するポリエステル系、ウレタン系の材料を用いることが考えられる。なお、接着剤は、シール４０の接着面の全面にわたって存在している。
このシール４０の表面には、蓋部３２を開けないように注意事項（例えば「開封厳禁」）が印刷されている。また、シール４０の表面には、メイン基板ケース５４０から剥離して別のシールが貼付されたことが一見して分かるようにするために固有の識別番号が付されている。なお、シール４０の表面に、偽造防止のための絵柄（例えばホログラム）を印刷することも考えられる。
本実施の形態では、本発明をメイン基板ケース５４０に適用する場合について説明しているが、演出制御基板５３０（図３参照）を収容する不図示のサブ基板ケースに適用することも考えられる。
【００３３】
上述したように、メイン基板ケース５４０において、シール４０は、端部４１，４２が張力をもって本体部３１および蓋部３２に貼付される一方で、シール４０の中間部４３は、本体部３１および蓋部３２に貼付されておらず、しかも段差部３３の空間を横切るように延在している。
シール４０を不正に切断しようとする者は、シール４０の貼付状態を観察すれば、シール４０の中間部４３を切断すれば切断し易いことを認識することができる。付言すると、メイン基板ケース５４０は、積極的にシール４０の切断し易い箇所（中間部４３）を形成する構造が採用されているということができる。また、メイン基板ケース５４０は、シール４０を切断する際の目印となる部分（中間部４３）を形成しているということもできる。
このような切断し易い箇所の形成や切断する際の目印となる部分の形成は、シール４０の端部４１，４２をメイン基板ケース５４０に貼付する作業を行うことで達成されるものであり、組み立て作業性を低下させるものではない。
なお、前述の段差部３３（図４参照）および後述の凹形状部３６（図７参照）は、メイン基板ケース５４０に設けられ、シール４０が後述するＩＣタグ５０（図５参照）と共に切断し易い場所を形成する易切断場所形成手段を構成するものである。なお、このような易切断場所形成手段としては、段差部３３ないし凹形状部３６以外の種々の構造も考えられる。その一例を示すと、メイン基板ケース５４０を、シール４０の端部４１，４２を覆う一方でシール４０の中間部４３を外部に露出させるように構成する場合（不図示）である。
【００３４】
次に、メイン基板ケース５４０に貼付されているシール４０の作用について詳しく説明する。
図５は、シール４０とスキャナ６０の構成を説明する概略図であり、同図の（ａ）はシール４０を平面図で示すと共にスキャナ６０をブロック図で示したものであり、シール４０の構成を説明すると共にスキャナ６０との通信を説明する図である。また、同図の（ｂ）は、中間部４３を刃物等で切断された状態のシール４０の平面図である。
同図の（ａ）に示すシール４０は、シール４０の中間部４３にＩＣタグ５０を備えている。このＩＣタグ５０は、外部と無線通信可能であり、個別データを保持可能に構成されている。すなわち、ＩＣタグ５０は、電波ないし電磁波を媒体とするＲＦＩＤ(Radio Frequency IDentification)システムの一部を構成する際に用いられるものである。具体的に説明すると、ＩＣタグ５０は、例えば遊技機ごとに付与されている個別データを保持するための図示しないＩＣチップと、個別データを送受信するための図示しないアンテナと、を備えている。なお、ＩＣタグ５０としては、例えばミューチップ等の種々のタイプのものを用いることが考えられる。
【００３５】
ここで、ＩＣタグ５０は、同図の（ａ）に示すスキャナ６０を用いてＩＣタグ５０の個別データを読み出すことができる。このスキャナ６０は、遊技機の外部に位置するものであり、可搬型のいわゆるハンディタイプのものである。そして、スキャナ６０は、ＩＣタグ５０との間で無線通信を行うためのアンテナ６１と、アンテナ６１により受信されたＩＣタグ５０の個別データを読み取るリーダ６２と、を備えている。アンテナ６１は、同軸ケーブル６３によりリーダ６２と接続されている。アンテナ６１は、同軸ケーブル６３を介してリーダ６２から給電され、その電力を用いて電波を発信する。そして、アンテナ６１は、ＩＣタグ５０の電波を受信すると同軸ケーブル６３を介してリーダ６２に送る。
なお、リーダ６２は、アンテナ６１が受信した電波を受け取ると、所定の手順に沿って処理を行う。すなわち、リーダ６２は、電波の周波数の変換を行い、デジタルデータを取り出し、それを通信プロトコルに基づき解釈する。リーダ６２は、読み取った個別データを出力する。なお、リーダ６２は、アンテナ６１の読み取り可能範囲（アクセス範囲、受信範囲）にＩＣタグ５０が入ったら自動的に読み取りする非同期型を採用している。
【００３６】
本実施の形態で用いられるＩＣタグ５０は、電池を内蔵せずに外部から到来する電波をエネルギー源として動作するパッシブタグ（受動タグ）である。すなわち、ＩＣタグ５０は、スキャナ６０のアンテナ６１のエネルギーを受けてそれを受電してそのエネルギーを使って自分のＩＣチップ（不図示）を作動してスキャナ６０のアンテナ６１に電波を返す。より具体的に説明すると、本実施の形態のＩＣタグ５０は、図示しない整流回路を備えている。そして、ＩＣタグ５０は、スキャナ６０のアンテナ６１からの電波を整流回路で整流して直流にし、それを電源として動作し、ＩＣチップ（不図示）が保持している個別データを送信する。
付言すると、ＩＣタグ５０のＩＣチップ（不図示）に保持される個別データには、固有の識別情報（ＩＣタグ５０のＩＤ）以外の任意のデータを含ませることができる。
なお、本実施の形態ではＩＣタグ５０をシール４０の中間部４３に備えているが、中間部４３のみならず端部４１，４２をも含むシール４０の全体にわたってＩＣタグ５０を備えるように構成することも考えられる。
【００３７】
次に、メイン基板ケース５４０の蓋部３２を開けようとしてシール４０に不正な加工が施される場合について説明する。
図５の（ｂ）に示すように、シール４０の中間部４３が刃物等を使用して切断されると、シール４０は、切断面４０ｃによって、端部４１を含む切断片４０ａと端部４２を含む切断片４０ｂとに分離される。このようにシール４０が切断片４０ａと切断片４０ｂとに分離されると、ＩＣタグ５０のアンテナ（不図示）も分割され、ＩＣタグ５０の通信機能が破壊されることになり、よって、スキャナ６０との間で無線通信を行うことが不可能になる。このため、シール４０が備えるＩＣタグ５０は、ＩＣチップ（不図示）に保持される個別データを送信することができなくなる。したがって、スキャナ６０を用いてＩＣタグ５０との無線通信を行うことができれば、シール４０に不正な加工が施されておらず、また、無線通信を行うことができないときには、シール４０に不正な加工が施されている可能性がきわめて高いということを把握することができる。
【００３８】
図６は、メイン基板ケース５４０に貼付されているシール４０が切断された後の状態を示す断面図である。
シール４０の中間部４３（図４参照）が刃物等を使用して切断されると（図５の（ｂ）参照）、図６に示すように、シール４０は、本体部３１側に位置する切断片４０ａと蓋部３２側に位置する切断片４０ｂに分かれる。
そして、中間部４３の切断によって、それまで作用していたシール４０の張力がなくなる。このため、切断片４０ａと切断片４０ｂのいずれか一方または両方は、その自重によって、本体部３１および蓋部３２に貼付されていない部分が段差部３３を形成する本体部３１ないし蓋部３２の側面３１ａ，３２ａに貼り付く。なお、切断後における切断片４０ａと切断片４０ｂの貼り付き状態は、シール４０の中間部４３が切断される位置によって異なるものであり、同図はその一例を示したものである。
【００３９】
このような貼り付き状態によって、メイン基板ケース５４０に貼付されているシール４０が切断されたことの痕跡が残り、切断されたことを一見して確認することができる。
また、シール４０は、一度剥離すると再び貼付することができず、シール４０の中間部４３が貼付されていない切断前の状態に戻すことは不可能になる。さらには、偽造が困難なシール４０を用いることで、切断したことを隠す偽装工作を行うことが困難になる。
したがって、例えば、パチンコ遊技機１００を複数台設置しているホールにおいて、スキャナ６０（図５の（ａ）参照）を用いることによりシール４０に不正な加工が施されたか否かを視覚によらずに画一的に確認することができる（一次選別工程）。そして、スキャナ６０がシール４０のＩＣタグ５０との間で無線通信を行うことができないパチンコ遊技機１００については、シール４０を目で見ることにより、シール４０に不正な加工が施されたか否かを個別的に確認することができる（二次選別工程）。
【００４０】
さらに説明すると、メイン基板ケース５４０に段差部３３がない従来の構造では、シール４０のほぼ全面にわたってメイン基板ケース５４０に貼付されることになる。その場合には、シール４０を切断しようとする者は、例えば、本体部３１と蓋部３２との係合箇所に沿ってカッター等で切断する。そのような切断方法では、シール４０が切断されたことの痕跡が目立たないことから、切断によるシール４０の変化を視認することが困難であることが想定される。したがって、切断したシール４０をそのままにしていても、切断加工が施されたことを見逃してしまうおそれがある。
この点で、本実施の形態における構成では、シール４０が切断されたことの痕跡が目立つことから、シール４０に切断加工が施されたことを見逃してしまう事態を回避することができる。
【００４１】
〔第２の実施の形態〕
図７は、第２の実施の形態に係るメイン基板ケース５４０を説明する断面図である。
同図に示すメイン基板ケース５４０は、第１の実施の形態の場合と同様に、本体部３１および蓋部３２を備えている。蓋部３２は本体部３１に係合可能である。
この本体部３１は、側面３１ａから外方に突出する突出部３４を有する。また、蓋部３２は、本体部３１の突出部３４と離間して位置し、側面３２ａから外方に突出する突出部３５を有する。そして、メイン基板ケース５４０は、互いに離間している突出部３４と突出部３５との間に位置する凹形状部３６を有する。
【００４２】
さらに説明すると、突出部３４，３５は、長さ方向（紙面垂直方向）に沿って延びるように形成されている。また、本体部３１の突出部３４と蓋部３２の突出部３５とは、互いに対向するように形成されている。
付言すると、本実施の形態では、突出部３４，３５は、本体部３１と蓋部３２とが互いに係合する係合部分Ｃよりも離れた位置に形成されている。しかしながら、突出部３４と突出部３５とが互いに離間するように位置しているのであれば、突出部３４と突出部３５のいずれか一方が、係合部分Ｃと同じ位置に形成されていてもよい。したがって、係合部分Ｃは、凹形状部３６に位置している。
【００４３】
メイン基板ケース５４０は、本体部３１および蓋部３２に貼付されているシール４０を有する。このシール４０は、第１の実施の形態と同じく構成することができ、中間部４３にＩＣタグ５０（図５の（ａ）参照）を備えている。
さらに説明すると、シール４０の両端部のうち一方の端部４１が本体部３１の突出部３４に貼付され、他方の端部４２が蓋部３２の突出部３５に貼付されている。また、シール４０の中間部４３は、本体部３１および蓋部３２のいずれにも貼付されていない。すなわち、シール４０の中間部４３は未貼付部分である。
第１の実施の形態の場合と同様に、シール４０は、所定の張力をもって端部４１，４２がメイン基板ケース５４０に貼付され、中間部４３が突出部３４，３５に貼付されずに凹形状部３６を横切るように延在している。
ここで、メイン基板ケース５４０において、本体部３１の突出部３４は第１の突出部の一例であり、蓋部３２の突出部３５は第２の突出部の一例であり、凹形状部３６は、未貼付形成部の一例である。
【００４４】
なお、本実施の形態について種々の変形例が考えられる。
例えば、本実施の形態では、突出部３４，３５の各々の高さは、略同一であるが、高さが互いに異なるように構成することも考えられる。すなわち、突出部３４が突出部３５よりも高く構成することが考えられ、また、突出部３５が突出部３４よりも高く構成することも考えられる。
また、本実施の形態では、本体部３１に突出部３４を形成すると共に、蓋部３２に突出部３５を形成しているが、本体部３１と蓋部３２のいずれか一方にのみ突出部３４ないし突出部３５を形成する構成である。具体的に説明すると、本体部３１に突出部３４を形成し、蓋部３２に突出部３５を形成しない構成や、蓋部３２に突出部３５を形成し、本体部３１に突出部３４を形成しない構成が考えられる。
【００４５】
図８は、メイン基板ケース５４０のシール４０が切断された状態を示す断面図である。
上述したように、シール４０の中間部４３（図４参照）が刃物等を使用して切断されると、ＩＣタグ５０も切断されることから（図５の（ｂ）参照）、スキャナ６０を用いたＩＣタグ５０との無線通信を行うことができなくなる。
また、シール４０が中間部４３で切断されると、同図に示すように、それまで作用していたシール４０の張力がなくなり、本体部３１および蓋部３２のいずれにも貼付されていない中間部４３は、凹形状部３６の面に貼り付く。すなわち、切断片４０ａの内それまで未貼付の部分は、突出部３４と係合部分Ｃ（図７参照）との間に位置する本体部３１の領域に貼り付く。また、切断片４０ｂの内それまで未貼付の部分は、突出部３５と係合部分Ｃ（図７参照）との間に位置する蓋部３２の領域に貼り付く。
本実施の形態の場合にも、このような貼り付き状態によって、メイン基板ケース５４０に貼付されているシール４０が切断されたときには、シール４０の形態が変わることから、メンテナンス時などに確認することが可能になる。
【００４６】
このように、上述した第１の実施の形態および第２の実施の形態では、メイン基板ケース５４０に貼付されているシール４０が切断されたことにより、シール４０が備えるＩＣタグ５０の通信機能が破壊されるので、シール４０が切断された事実を容易に把握することができる。また、シール４０の切断されることでシール４０の形態が変わることから、シール４０が切断されたことの痕跡が残るので、シール４０が切断された事実を一見して確認することができる。
【図面の簡単な説明】
【００４７】
【図１】本実施の形態に係るパチンコ遊技機の概略正面図である。
【図２】本実施の形態に係るパチンコ遊技機を説明する図である。
【図３】枠部材の構成を説明する斜視図である。
【図４】第１の実施の形態に係るメイン基板ケースを説明する断面図である。
【図５】シールとスキャナの構成を説明する概略図である。
【図６】メイン基板ケースのシールが切断された状態を示す断面図である。
【図７】第２の実施の形態に係るメイン基板ケースを説明する断面図である。
【図８】メイン基板ケースのシールが切断された状態を示す断面図である。
【符号の説明】
【００４８】
３１…本体部、３２…蓋部、３３…段差部、３４，３５…突出部、３６…凹形状部、４０…シール、４０ａ，４０ｂ…切断片、４１，４２…端部、４３…中間部、５０…ＩＣタグ、１００…パチンコ遊技機、５２０…遊技制御基板、５４０…メイン基板ケース
【図１】
2010158344.tif 000003
【図２】
2010158344.tif 000004
【図３】
2010158344.tif 000005
【図４】
2010158344.tif 000006
【図５】
2010158344.tif 000007
【図６】
2010158344.tif 000008
【図７】
2010158344.tif 000009
【図８】
2010158344.tif 000010